(57)【要約】【課題】給気用の換気口に設置するフードにおいて、再飛散現象を抑制することで、分離性能の低下を抑制することを目的とする。【解決手段】円筒状のケース１の一端側に複数の固定羽根３を備えた第一吸気口４と、固定羽根３と同じ側のケース１の一端面に流出口６を備え、ケース１内の他端側は、ケース１の側面において、円筒状のケース１の中心軸２０を水平に配置した状態で最下部に位置させることができる第二吸気口５を備え、第一旋回室８と第二旋回室９とに分割する空間分割板７とを備え、空間分割板７には、第一旋回室８と第二旋回室９とを連通する貫通孔１０を備えた構成において、ケース１の端面１Ｂで第一旋回室８内に、中心軸２０をケース１と同一にした円筒部材１１を備え、中心軸２０の方向において、円筒部材１１の流出側端面１１Ａは、貫通孔１０内に位置する構成にした。【選択図】図２
2020146687.tif 000002
【特許請求の範囲】
【請求項１】
ケースの一端側の側面を周回して設けられ、前記ケースに空気を流入させ、前記ケース内に旋回気流を生じさせる第一吸気口と、
前記ケースの他端側の側面に設けられ、前記ケースの中心軸を水平に配置した状態で、重力方向の最下部に位置する第二吸気口と、
前記ケースの一端側の一端面に設けられ、前記第一吸気口から流入した空気を前記ケース外に流出させる円筒状の流出口と、
前記ケース内において、前記第一吸気口と連通する第一旋回室と、前記第一旋回室よりも外周側に位置して前記第二吸気口と連通する第二旋回室とに分割する空間分割板と、
前記空間分割板に設けられ、前記第一旋回室と前記第二旋回室とを貫通する貫通孔と、
前記第一旋回室内の前記ケースの他端側に設けられた円筒部材と、
を備え、
前記流出口と前記円筒部材とは、それぞれの中心軸を前記ケースの前記中心軸と同一に配置されており、
前記円筒部材を側面視した場合、前記円筒部材の前記流出口側の端面は、前記貫通孔の前記中心軸方向において前記貫通孔と重なる範囲に位置していることを特徴とするサイクロン分離装置。
【請求項２】
前記第一旋回室は、前記ケースの一端側から前記ケースの他端側に向かって、前記ケースの前記中心軸と垂直な断面積が徐々に小さくなるように形成されていることを特徴とする請求項１に記載のサイクロン分離装置。
【請求項３】
前記円筒部材の端面に設けられ、前記ケースの前記中心軸と同一に配置された支持部材をさらに備え、
前記支持部材は、前記ケースの前記中心軸から外周側に向かって円弧状に湾曲した複数の円弧羽根を有し、
前記円弧羽根の湾曲方向は、前記第一吸気口によって発生する旋回気流の回転方向と同じ方向であることを特徴とする請求項１または２に記載のサイクロン分離装置。
【請求項４】
前記支持部材は、前記円筒部材の端面と同じ径となる底面を有する円錐形状であり、前記支持部材を側面視した場合、頂点が前記流出口側となるように形成されていることを特徴とする請求項３に記載のサイクロン分離装置。
【発明の詳細な説明】
【技術分野】
【０００１】
本発明は、建屋において屋外の空気を屋内に取り込む際、建屋の屋外外壁の空気取入口部分に取り付け、屋外の空気に含まれる異物を分離し、屋外へ戻すサイクロン分離装置に関するものである。
【背景技術】
【０００２】
従来、この種のサイクロン分離装置は、例えば特許文献１のものが知られている。
【０００３】
以下、そのサイクロン分離装置について図６、図７を参照しながら説明する。
【０００４】
図６、図７に示すように、軸方向の一端面に複数の羽根１０１を等間隔に隙間を開けて放射状に配置した円形状の流入口１０２と、他端面に円形状の流出口１０３を備え、流入口１０２と流出口１０３の間の空間は円筒状の旋回室１０４となっており、流入口１０２から入った空気は羽根１０１によって旋回気流となり、その後気流は流出口１０３から流出する。旋回室１０４の下方には、旋回気流によって空気中の異物を分離したものを収容する分離室１０５を備えている。そして、旋回室１０４と分離室１０５とを連通させる貫通孔１０６を備えており、旋回室１０４で外周側へ移動した異物は貫通孔１０６を通り、分離室１０５へ移動する。
【先行技術文献】
【特許文献】
【０００５】
【特許文献１】特開２００８−３６５７９号公報
【発明の概要】
【発明が解決しようとする課題】
【０００６】
このような従来のサイクロン分離装置においては、分離室内は旋回室で発生している旋回気流により、その気流の一部が貫通孔を通って分離室内へ流入する。流入した空気は再び旋回室へ戻っており、分離室内の気流は乱れている。そのため、一旦分離室へ移動した異物は、分離室内を浮遊して再度旋回室へ移動することがあり、旋回室へ再流入した異物はそのまま流出口へ流れ出る、いわゆる再飛散現象が発生する。これにより、分離性能の低下を招くという課題を生じていた。
【０００７】
そこで本発明は、上記従来の課題を解決するものであり、再飛散現象を抑制することで、分離性能の低下を抑制することのできるサイクロン分離装置を提供することを目的とする。
【課題を解決するための手段】
【０００８】
そして、この目的を達成するために、本発明に係るサイクロン分離装置は、ケースの一端側の側面を周回して設けられ、ケースに空気を流入させ、ケース内に旋回気流を生じさせる第一吸気口と、ケースの他端側の側面に設けられ、ケースの中心軸を水平に配置した状態で、重力方向の最下部に位置する第二吸気口と、ケースの一端側の一端面に設けられ、第一吸気口から流入した空気をケース外に流出させる円筒状の流出口と、ケース内において、第一吸気口と連通する第一旋回室と、第一旋回室よりも外周側に位置して第二吸気口と連通する第二旋回室とに分割する空間分割板と、空間分割板に設けられ、第一旋回室と第二旋回室とを貫通する貫通孔と、第一旋回室内のケースの他端側に設けられた円筒部材と、を備える。そして、流出口と円筒部材とは、それぞれの中心軸をケースの中心軸と同一に配置されており、円筒部材を側面視した場合、円筒部材の流出口側の端面は、貫通孔の中心軸方向において貫通孔と重なる範囲に位置しているものであり、これにより所期の目的を達成するものである。
【発明の効果】
【０００９】
本発明によれば、流入口から空気とともに流入した異物は、第一旋回室内の旋回気流によって遠心力を受け、貫通孔より第二旋回室へ移動するため、第二旋回室は第一旋回室の分離室となっている。流出口の下流に配置した送風機により、第二吸気口からも空気が流入し、第二旋回室内の空気は第一旋回室へ流入しようとするため、第二旋回室から第一旋回室内へ中心軸方向へ移動するが、その移動してきた異物は慣性力により円筒部材の側面に衝突し、衝突した異物は再度第一旋回室内の旋回気流によって旋回し、再び貫通孔から第二旋回室へ流入するため、第二旋回室内の異物が流出口より下流へ飛散することを抑制することができ、分離性能の低下を抑制することができる。
【図面の簡単な説明】
【００１０】
【図１】本発明の実施の形態１の外観斜視図
【図２】同中心軸に沿った断面図
【図３】本発明の実施の形態２の中心軸に沿った断面図
【図４】同円弧羽根部分の正面図
【図５】本発明の実施の形態３の中心軸に沿った断面図
【図６】従来のサイクロン分離装置の外観斜視図
【図７】同中心軸に沿った断面図
【発明を実施するための形態】
【００１１】
本発明に係るサイクロン分離装置は、気流が流入する円筒状のケースと、前記ケースの一端側で側面を周回して開口した開口部と前記開口部に沿って複数配置した固定羽根とを備え形成した第一吸気口と、前記固定羽根と同じ側の前記ケースの一端面に流出口を備え、前記第一吸気口を通過する気流は固定羽根によって旋回成分を持った気流となって前記ケース内に流入し、前記流出口から前記ケース外へ気流が流出し、前記ケースの他端側は、前記ケースの側面において、前記円筒状のケースの中心軸を水平に配置した状態で最下部に位置させることができる第二吸気口と、前記ケースの内部において、内周側の第一旋回室と外周側の第二旋回室とに分割する空間分割板とを備え、前記空間分割板には、前記第一旋回室と第二旋回室とを連通する貫通孔を備えたサイクロン分離装置において、前記ケースの他端側で第一旋回室内に、中心軸を前記ケースと同一にした円筒部材を備え、前記中心軸の方向において、前記円筒部材の前記流出口側の端面は、前記貫通孔の範囲内に位置させた構成を有する。
【００１２】
これにより、円筒状ケース内は空間分割板によって第一旋回室と第二旋回室に分割され、空間分割板に第一旋回室と第二旋回室を連通する貫通孔を備えることで、第一吸気口から入った屋外の空気は、旋回気流となって第一旋回室へ流入し、ここで旋回気流中に含まれる異物は遠心力を受け、空間分割板近傍を周回し、貫通孔より第二旋回室へ移動する。つまり第二旋回室が分離した異物を受け入れる分離室となっており、第二旋回室に分離した異物は重力により下部付近つまり第二吸気口付近に堆積する。さらに、装置外で自然風が吹き、第二旋回室付近でも横風が吹くと、ベルヌーイの定理より静圧が低下し、第二旋回室側よりも装置外の静圧が低くなると、異物が装置外へ排出される。この作用により、第二旋回室に分離した異物を屋外へ戻すことができる。
【００１３】
また、本装置の下流側に配置する送風機によって、本装置内は負圧となっており、第二吸気口においても本装置外から第二旋回室へ向かって空気が流入する。第一旋回室の旋回気流の一部は指向性を持って貫通孔より第二旋回室に流入するため、第二旋回室内の気流は第一旋回室の気流と同じ旋回方向となり、第二吸気口から流入した気流はその旋回気流に乗って旋回する。
【００１４】
第二旋回室内の異物はその中で発生している旋回気流によって、第二旋回室内を旋回するが、その一部が貫通孔から第一旋回室へ移動する。この時、貫通孔では第一旋回室から第二旋回室へ流入する気流と第二旋回室から第一旋回室へ流入する気流とが入り混じった状態であるが、中心軸方向において貫通孔のケースの他端側となる領域では、第二旋回室から第一旋回室へ向かう気流が多い。この気流の流れに乗って、異物が第一旋回室内へ中心軸方向へ向かって移動し、その慣性力で円筒部材の側面に衝突する。これにより異物は勢いを失い、第一旋回室内の旋回気流によって再び旋回し、貫通孔より再度第二旋回室へ移動する。このような作用により、第二旋回室内の異物が流出口から流れ出る再飛散現象を抑制することができ、分離性能の低下を抑制することができる。
【００１５】
本発明に係るサイクロン分離装置は、前記円筒部材の前記流出口側の端面で、前記円筒部材の中心軸上に支持部材を備え、支持部材から前記円筒部材の外周端に向かって円弧状に曲げた円弧羽根を備え、前記曲げ方向は、前記外周端から前記支持部材に向かって、前記固定羽根によって発生する旋回気流の回転方向と同じ向きであって、前記円弧羽根は、前記円筒部材と前記流出口の間にあって、前記支持部材の周りに２枚以上円形配置した構成を有する。
【００１６】
これにより、円筒部材の作用による再飛散現象の抑制をしながら、第一旋回室の旋回気流を中心軸付近に集めることで、その旋回気流を中心軸方向において流出口へ向かう流れに変換することができる。そのため、本装置における圧力損失を低減することができる。
【００１７】
本発明に係るサイクロン分離装置は、前記支持部材は、円錐部材であって、前記円錐部材の底面は前記円筒部材の端面と同一の底面を有する円錐形であり、前記円錐部材の頂点が前記流出口側になるように配置した構成を有する。
【００１８】
これにより、円筒部材の作用による再飛散現象の抑制をしながら、第一旋回室の旋回気流を中心軸付近に集め、その旋回気流は中心軸方向において流出口へ向かう流れに変換されるが、円錐部材によってさらに流出口へ向かう流れにスムーズに変換することができる。そのため、本装置における圧力損失をさらに低減することができる。
【００１９】
以下、本発明の実施の形態について図面を参照しながら説明する。
【００２０】
（実施の形態１）
図１は、本実施の形態におけるサイクロン分離装置の外観図であり、円筒状のケース１の一端側で側面を周回して開口した開口部２に固定羽根３を複数配置した第一吸気口４を備え、ケース１側面の第一吸気口４とは反対側の他端側に、円筒状のケース１の中心軸２０を水平に配置した状態で重力方向の最下部に位置させることができる第二吸気口５を備えている。
【００２１】
固定羽根３は開口部２に３６０度に渡って一定の隙間を開けて配置しており、本実施の形態では１８枚設け、中心に対して全て同じ角度を向いている。これにより固定羽根３を通過した気流は旋回気流となる。なお、本実施の形態において開口部２は３６０度開口しているが、一部がふさがっていてもよい。
【００２２】
第二吸気口５の開口面積は、第一吸気口４となっている開口部２の開口面積に対して０．５〜３％程度とするのが望ましく、本実施の形態では、第二吸気口５の開口面積は開口部２の面積に対して約１．２％となっている。このように第二吸気口５は第一吸気口４となっている開口部２の開口面積に対して非常に小さくなっている。このようにしているのは、第一吸気口４から流入する気流が本装置で処理を行う主の空気とするためである。３％より大きくなると、第二吸気口５からの流入が増加し、図２に示す貫通孔１０で第二旋回室９から第一旋回室８へ向かう気流が増加し、第一旋回室８で分離した異物を第二旋回室９へ移動しづらくなる（詳細な気流の流れと異物の動きについては後述）。また、第二吸気口５の開口面積は小さすぎてもよくなく、分離した異物は第二吸気口５付近に堆積し、第二吸気口５は異物を排出するための開口であるため、異物が詰まらない程度の大きさが必要だからである。
【００２３】
図２は、円筒状のケース１の中心軸２０に沿ってカットした断面図である。ケース１の第一吸気口４側をふさいで端面１Ａとし、その中央に装置外と装置内を連通する円筒状の流出口６を備えている。なお、端面１Ａに対して反対側の端面１Ｂは開口がなくふさがれている。
【００２４】
前記ケース１内の端面１Ｂ側には、空間分割板７を備え、この空間分割板７の内周側空間を第一旋回室８、外周側空間を第二旋回室９とし、空間分割板７は、ケース１の円筒状の中心軸２０を横断する第一旋回室８の断面積が流出口６から遠ざかるにつれて、徐々に小さくなるように傾斜している。空間分割板７の一端はケース１の側面と接触しており、ここの空間分割板７の端部を端部７Ａとし、他端はケース１の端面１Ｂと接触しており、この空間分割板７の端部を端部７Ｂとする。
【００２５】
つまり、円筒状のケース１の中に空間分割板７を介して、第一旋回室８と第二旋回室９を構成し、ケース１の端面１Ｂは、第一旋回室８と第二旋回室９の空間と接している。また、第一旋回室８の最大径と第二旋回室９の最大径は同じである。なお、本実施の形態では、空間分割板７は傾斜しているが、傾斜がなく円筒状であってもよい。
【００２６】
また、本実施の形態では、本体のケース１の開口部２に固定羽根３の内周側端部が接するように配置しているため、固定羽根３部分が本体のケース１より突出した構成となっている。また、開口部２に固定羽根３の外周側端部が接するように配置すると、固定羽根３部分は本体のケース１内に納まる。
【００２７】
流出口６は円筒状で、端面１Ａを貫通するようにケース１と同じ中心軸２０上に配置され、流出口６の一端は空間分割板７の端部７Ａを超えて第一旋回室８内へ突出している。なお、流出口６の一端は端部７Ａを超えなくても良い。そして反対側は装置外へ突出しており、ダクトが接続できるようになっている。
【００２８】
本実施の形態における特徴は、第一旋回室８内にケース１の中心軸２０と軸を同じにし、端面１Ｂ上に円筒部材１１を設けたことである。円筒部材１１の流出側端面１１Ａは、図２の側面視において、貫通孔１０と重なる位置であればよく、本実施の形態では、貫通孔１０の中心軸２０方向において真ん中よりも端面１Ｂ側に流出側端面１１Ａを配置している。また、本実施の形態では、円筒部材１１の直径は流出口６の直径よりも小さいが、同等または大きくてもよい。
【００２９】
貫通孔１０での気流について、第一旋回室８の旋回気流の一部が貫通孔１０を通り第二旋回室９へ流入する。また後述するとおり、第二旋回室９から第一旋回室８への気流の流れも存在する。これらの流れは、図２において貫通孔１０の第一吸気口４に近い領域では、第一旋回室８から第二旋回室９への流れが多く、貫通孔１０の端面１Ｂに近い領域では、第二旋回室９から第一旋回室８への流れが多いことが実験による目視で確認できている。
【００３０】
円筒部材１１は、第二旋回室９から第一旋回室８へ流入する空気とともに移動してくる異物を流出口６より下流に飛散させることを抑制するためのもので、端面１Ｂに近い側の貫通孔１０の領域と重なる位置に配置している。そして、第二旋回室９から第一旋回室８へ移動してきた異物は、円筒部材１１がない場合、中心軸付近まで飛翔し、中心軸付近は流出口６へ向かう流れが支配的であるため、その流れにのって流出口６より下流へ流れ出るため、分離性能が低下する。しかし、円筒部材１１があると、異物は慣性力により円筒部材１１の側面に衝突し、勢いを失うが、円筒部材１１周囲を流れる旋回気流によって旋回をはじめ、遠心力により空間分割板７側へ移動し、再び貫通孔１０より第二旋回室９へ移動する。この作用により、第二旋回室９に分離した異物が再び第一旋回室８へ流入し、装置の下流へ飛散する再飛散現象を抑制することができる。
【００３１】
上記構成においてサイクロン分離装置における気流の流れを説明する。
【００３２】
流出口６と送風機（図示せず）をダクトで接続し、送風機を運転すると、ケース１内が負圧になるため、外気と連通している第一吸気口４と第二吸気口５から空気が流入する。ただし、前述したように第二吸気口５の開口面積は、第一吸気口４のある開口部２の開口面積に対して０．５〜３％であるので、大部分は第一吸気口４から流入する。
【００３３】
図２に示すように、第一吸気口４から流入した空気は、固定羽根３によって旋回気流となり、第一旋回室８内を旋回しながらケース１の端面１Ｂ方向へ進行する。この時、第一旋回室８の断面積は徐々に小さくなっているので、旋回気流に含まれる異物へ作用する遠心力は強くなっていく。円筒部材１１付近で旋回気流の中心軸２０に対する進行方向が反転し、第一旋回室８内の中心付近を通って流出口６へ向かい、装置外へ流出する。
【００３４】
また、第一旋回室８の旋回気流の一部は貫通孔１０から第二旋回室９へ指向性を持って流入するため、第二旋回室９内においても第一旋回室８の旋回気流と同方向の旋回気流が発生する。
【００３５】
第二吸気口５から流入した空気は前述した旋回気流によって同方向へ向かう流れとなる。第二吸気口５から流入した空気は第二旋回室９内を周回して貫通孔１０より第一旋回室８へ入り、第一旋回室８内の気流と合流して流出口６より装置外へ流出する。
【００３６】
次に本装置に流入した異物を分離する作用について説明する。
【００３７】
第一吸気口４から空気とともに流入した異物（例えば、蚊やショウジョウバエ、キノコバエ、蛾などの小昆虫）は、第一旋回室８内の旋回気流によって遠心力を受け、外周側の空間分割板７付近を周回する。周回している間に、異物が貫通孔１０付近を通過するとより外側へ移動しようとするため、この貫通孔１０を通って第一旋回室８から第二旋回室９へ移動、つまり分離する。第二旋回室９は分離した異物を受け入れる空間、つまり分離室となっている。
【００３８】
異物は空気に比べて質量が大きいため重力の作用によって、第二旋回室９内の下部である第二吸気口５付近に堆積する。異物が小昆虫などの場合、第二旋回室９に分離した直後は、まだ生きているため、第二旋回室９内を浮遊することができる。しかし、第二旋回室９内にも旋回気流が発生しているため、遠心力を受け第二旋回室９の外周側へ移動することとなり、貫通孔１０から第一旋回室８へ戻ることは抑制されるが、その一部は貫通孔１０を通り第一旋回室８へ移動する。
【００３９】
その移動した異物は中心軸２０方向へ向かっており、第一旋回室８内は旋回気流が発生しているが、異物は慣性力によって中心軸２０へ向かい、円筒部材１１の側面に衝突し、勢いを失う。円筒部材１１付近では旋回気流が存在するため、勢いを失った異物はこの旋回気流によって旋回し、遠心力を受け、空間分割板７側へ移動し、再び貫通孔１０を通り第二旋回室９へ移動・分離される。つまり、円筒部材１１により第二旋回室へ分離した異物の再飛散現象を抑制することができる。
【００４０】
また、第二吸気口５は第二旋回室９内に一旦貯留された異物を装置外へ排出するための開口でもある。装置外の自然風が無風の場合は、前述したように、第二吸気口５から空気が流入するため、異物は出て行かない。しかし、装置外で自然風が吹き、第二吸気口５の外側で自然風が流れると、ベルヌーイの定理により静圧が低下し、装置内よりも静圧が低下すると、異物は装置外へ引き寄せられ、排出される。本装置では、このように自然風を利用して、第二旋回室９内に一旦貯留した異物を屋外へ排出している。これにより、サイクロン分離装置のメンテナンスが不要となる。
【００４１】
以上のように、ケース１の一端側の周回状の開口部２に複数の固定羽根３を設けた第一吸気口４、ケース１側面で第一吸気口４と反対側の重力方向の最下部に第二吸気口５を設け、ケース１内を空間分割板７で第一旋回室８と第二旋回室９に分割し、空間分割板７に第一旋回室８と第二旋回室９を連通する貫通孔１０を設け、主流は第一吸気口４から流入し第一旋回室８を通り流出口６へ流れ、一部の空気は第二吸気口５から流入し第二旋回室９を通り、貫通孔１０より第一旋回室８へ抜け流出口６へ流れる構成にすることで、第一吸気口４から空気と共に流入した異物は第一旋回室８で分離され貫通孔１０より第二旋回室９へ移動する。第二旋回室９は第一旋回室８で分離した異物を受け入れる分離室の役割を持っている。つまり、本実施の形態のサイクロン分離装置は第一旋回室８の周囲に分離室を設けた構成になっており、さらに分離室である第二旋回室９内の空気は旋回気流となっていることで、分離した異物や、第二吸気口５から流入した異物が貫通孔１０より第一旋回室８へ流入することを抑制し、万が一、第二旋回室９から貫通孔１０を通って第一旋回室８へ異物が移動しても円筒部材１１の作用により、再度異物を分離し第二旋回室９へ戻すことができるので分離性能の低下を抑制、つまり分離性能が向上している。
【００４２】
また、本装置は、建屋の外壁の吸気口部分に風雨を防ぐためのフードとしての利用を想定している。つまり異物を分離する機能の付いたフードである。
【００４３】
屋外外壁に設置された際、雨が降った場合は、第一吸気口４から雨水が流入するが、第一吸気口４は３６０度開口しているため、そのまま下方へ落下していく。流出口６の端部は第一吸気口４より第一旋回室８側へ突出しているため、雨水が流出口６に直接入ることはない。万が一装置内へ流入しても流出口６はケース１端面の中央部に存在しているため、雨水が流出口６より下流へ浸入する恐れはない。ケース１内へ水しぶきが流入しても、旋回気流によって空間分割板７へ付着させることができる。本実施の形態では、空間分割板７は第一吸気口４へ向かって傾斜しているため、空間分割板７に付着した雨水は第一吸気口４へ流れ出ることとなる。
【００４４】
また、強風が吹いたとしても、第一吸気口４は３６０度開口しているため、風が抜ける構造である。また前述した構造により風が直接、流出口６へ流入することはない。
【００４５】
つまり、本装置はコンパクトに異物を分離する機能を備えながら、風雨を防ぐフードとしての本来の機能を確実に押さえている。
【００４６】
（実施の形態２）
実施の形態１と同構成の部分は説明を省略する。
【００４７】
本実施の形態２における特徴的な構成は、図３に示すように、円筒部材１１の流出口６側に、円筒部材の中心に円柱状の支持部材１２を備え、支持部材１２と円筒部材１１の外周面とを円弧状に結んだ円弧羽根１３を支持部材１２の周囲に４枚均等間隔で円形配置している。
【００４８】
図４は、円筒部材１１と支持部材１２、円弧羽根１３を流出口６側から見た図である。黒矢印は第一旋回室８内での旋回気流の向きを表している。円弧羽根１３の円弧の湾曲方向は、図４で示すように、第一旋回室８内で発生する旋回気流と同じ向き、つまり円弧羽根１３が旋回気流の風を受けるように湾曲している。
【００４９】
本実施の形態では、１枚の円弧羽根１３の形状は、１８０度開いた半円形状をしているが、１８０度より小さい、つまり湾曲度合いが小さくてもよい。
【００５０】
また、円弧羽根１３の中心軸２０方向の長さは、円筒部材１１よりも長く、流出口６の端部との間に隙間ができる長さとしている。なお、円弧羽根１３の長さは、流出口６の端部と重なる位置まで伸ばしてもよい。
【００５１】
このような構成により、旋回気流は、円弧羽根１３によって支持部材１２側つまり中心軸２０付近へ集められ、集まった空気は流出口６側が開口しているため、流出口６側へ向かう流れへと変換される。これにより、再飛散現象を抑制しながら、速やかに流出口６へ気流が流れ出るため、本装置の圧力損失を低減することができる。
【００５２】
（実施の形態３）
実施の形態１、実施の形態２と同構成の部分は説明を省略する。
【００５３】
本実施の形態における特徴的な構成は、図５に示すように、支持部材１２の形状が、円錐形状であり、円錐の底面は円筒部材１１の径と同等で、円錐の頂点側は流出口６側を向いている。この円錐形状の支持部材１２の周囲に円弧羽根１３が４枚均等に円形配置されている。流出口６側から見た図としては、図４と同様となり、円弧羽根１３の湾曲方向も、実施の形態２で説明したものと同じとなる。
【００５４】
支持部材１２が円錐形状になることで、円弧羽根１３によって中心軸２０側へ集めた旋回気流をよりスムーズに流出口６側へ向きを変換させることが可能となり、本装置の圧力損失をさらに低減させることができる。つまり、再飛散現象を抑制しながら、圧力損失の低いサイクロン分離装置とすることができる。
【産業上の利用可能性】
【００５５】
本発明に係るサイクロン分離装置は、再飛散現象を抑制することで、分離性能の低下を抑制し、圧力損失を低く抑えながら、異物を分離し屋外へ戻すとともに、風雨の進入の防止を可能とするものであるので、建屋の換気口（給気側）に取り付ける屋外フード等として有用である。
【符号の説明】
【００５６】
１    ケース
１Ａ    端面
１Ｂ    端面
２    開口部
３    固定羽根
４    第一吸気口
５    第二吸気口
６    流出口
７    空間分割板
７Ａ    端部
７Ｂ    端部
８    第一旋回室
９    第二旋回室
１０    貫通孔
１１    円筒部材
１１Ａ    流出側端面
１２    支持部材
１３    円弧羽根
２０    中心軸
【図１】
2020146687.tif 000003
【図２】
2020146687.tif 000004
【図３】
2020146687.tif 000005
【図４】
2020146687.tif 000006
【図５】
2020146687.tif 000007
【図６】
2020146687.tif 000008
【図７】
2020146687.tif 000009